(57)【要約】【課題】発光部からの光を透明板に形成した反射部で反射させて機器の操作状況や動作状態などを表示する反射表示装置で、透明板に表示用の反射部を容易に形成できるようにする。【解決手段】ディスプレイ機器の外枠の上側部を構成する外枠上側板１１０の内面に貼り付ける、枠状の透明部の上側部を構成する透明上側板２１０に、その内面に臨ませて溝孔２１５Ｇ，２１５Ｒおよび２１５Ｂを形成する。溝孔２１５Ｇ，２１５Ｒおよび２１５Ｂの周面は粗面とする。溝孔２１５Ｇ，２１５Ｒおよび２１５Ｂの位置において透明上側板２１０の内面側に、緑色ＬＥＤ８２Ｇ、赤色ＬＥＤ８２Ｒおよび青色ＬＥＤ８２Ｂを配置する。緑色ＬＥＤ８２Ｇ、赤色ＬＥＤ８２Ｒおよび青色ＬＥＤ８２Ｂから出射した光は、それぞれ溝孔２１５Ｇ，２１５Ｒおよび２１５Ｂの周面で乱反射する。【選択図】図２
2006030322.tif 000002
【特許請求の範囲】
【請求項１】
透明板と、この透明板の一面側に配置された発光部とを備え、前記透明板には、前記一面に臨んで、前記発光部から出射した光が照射される、周面が粗面とされた孔が形成された反射表示装置。
【請求項２】
請求項１の反射表示装置において、
前記孔は、前記透明板の前記一面と反対側の面に貫通しない溝孔であることを特徴とする反射表示装置。
【請求項３】
請求項１の反射表示装置において、
前記孔は、前記透明板の前記一面と反対側の面に貫通した孔であり、その貫通孔の位置において前記反対側の面には、反射面が形成されたことを特徴とする反射表示装置。
【請求項４】
請求項１の反射表示装置において、
前記孔は、ドリル加工によって形成されたものであることを特徴とする反射表示装置。
【請求項５】
請求項２の反射表示装置において、
前記透明板に、前記溝孔として深さが異なる複数の溝孔が形成され、その各溝孔に対応して前記一面側に発光部が配置されたことを特徴とする反射表示装置。
【請求項６】
画像表示用ディスプレイの外側の少なくとも一辺部に、請求項１〜５のいずれかの反射表示装置が設けられたディスプレイ機器。
【請求項７】
請求項６のディスプレイ機器において、
前記画像表示用ディスプレイがフラットディスプレイパネルであるディスプレイ機器。
【発明の詳細な説明】
【技術分野】
【０００１】
この発明は、ＬＥＤ（発光ダイオード）などの発光部からの光を透明板に形成した反射部で反射させて機器の操作状況や動作状態などを表示する反射表示装置、および、この反射表示装置および画像表示用ディスプレイを備えるディスプレイ機器に関する。
【背景技術】
【０００２】
機器の操作状況や動作状態などを表示するために、ＬＥＤなどの発光部（発光素子）からの光を透明板に照射し、透明板に形成した反射部で反射させて、機器使用者に認識させる装置が考えられている。
【０００３】
具体的に、特許文献１（特開２００４−６１９２２号公報）には、図１５に示すように、ＰＤＰ（プラズマディスプレイパネル）本体９１の手前の前面ガラス板９２の裏面に、黒色塗装部９３より周辺側の部分において、裏面に光反射部９５が形成された透明板９４を貼り付けるとともに、ＰＤＰ本体９１の背後の筐体９６の裾部に発光部９７を設け、この発光部９７から出射した光９８を、透明板９４に入射させて、光反射部９５で反射させ、反射光９９として正面側に出射させることが示されている。
【０００４】
光反射部９５は、具体的には、球状の面の一部、傾斜面、または円筒面の一部を有する凹部とされる。
【０００５】
上に挙げた先行技術文献は、以下のとおりである。
【特許文献１】特開２００４−６１９２２号公報
【発明の開示】
【発明が解決しようとする課題】
【０００６】
しかしながら、上述した従来の反射表示装置では、球状の面の一部、傾斜面、または円筒面の一部を有する凹部からなる光反射部９５を形成するために、例えば、透明板９４をアクリル板などとして金型による成形によって作成する場合には、特殊な金型を必要とし、また、光反射部９５として傾斜した鏡面を形成して、反射光９９を透明板９４の板面に垂直な方向に出射させるには、鏡面の傾斜角を正確に設定する必要があり、光反射部９５の形成が複雑となる。
【０００７】
そこで、この発明は、発光部からの光を透明板に形成した反射部で反射させて機器の操作状況や動作状態などを表示する反射表示装置において、透明板に表示用の反射部を容易に形成できるようにしたものである。
【課題を解決するための手段】
【０００８】
この発明の反射表示装置は、透明板と、この透明板の一面側に配置された発光部とを備え、前記透明板には、前記一面に臨んで、前記発光部から出射した光が照射される、周面が粗面とされた孔が形成されたものとする。
【０００９】
上記の構成の、この発明の反射表示装置では、発光部から出射した光が、透明板の一面側から透明板の孔内に照射され、孔の粗面とされた周面で乱反射して、透明板の孔の部分が浮き出るように表示される。
【発明の効果】
【００１０】
この発明によれば、表示用の反射部を構成する、周面が粗面とされた孔は、特殊な金型を使用して透明板を作成し、または傾斜角を正確に設定して鏡面を形成するなどの方法によらずに、平板状の透明板の作成後、ドリル加工などによって容易に形成することができ、表示用の反射部を容易に形成することができる。
【発明を実施するための最良の形態】
【００１１】
〔ディスプレイ機器の一例の概要：図１〕
図１は、この発明の反射表示装置の一例を備える、この発明のディスプレイ機器の一例を示し、画像表示用ディスプレイとして液晶ディスプレイパネルを備える場合である。
【００１２】
この例のディスプレイ機器は、枠組み装置１０と液晶ディスプレイパネル２０を備え、スタンド５１に取り付けられる。
【００１３】
枠組み装置１０は、外枠１００、図１では省略した内枠（キャビネット）、および外枠１００と内枠との間に介在された透明上側板２１０、透明下側板２２０、透明左側板２３０および透明右側板２４０を備え、外枠１００の左上、右上、左下および右下のコーナー部に、コーナーカバー５１０，５２０，５３０および５４０が設けられたものである。
【００１４】
透明上側板２１０、透明下側板２２０、透明左側板２３０および透明右側板２４０は、全体として枠状の透明部を形成するものであり、ディスプレイ機器を正面側（図１の紙面の表側）から見たとき、これら透明上側板２１０、透明下側板２２０、透明左側板２３０、透明右側板２４０および外枠１００は、浮いた感じに見えるものである。
【００１５】
透明上側板２１０、透明下側板２２０、透明左側板２３０および透明右側板２４０は、それぞれ、アクリル板やポリカーボネート板などによって形成され、例えば、上下方向または左右方向の厚みが１０ｍｍ前後、奥行方向（前後方向）の幅が数ｃｍ以上、というように、厚みが幅に比べて十分に小さいものとされる。
【００１６】
液晶ディスプレイパネル２０は、内枠の内側に取り付けられ、液晶表示素子およびバックライトを備え、さらに液晶表示素子およびバックライトを駆動する回路部や電源部を備えるものである。
【００１７】
液晶ディスプレイパネル２０の表示画面の周縁と、透明上側板２１０、透明下側板２２０、透明左側板２３０および透明右側板２４０の内側の縁との間のエリアには、内部を覆い隠すようにフロントマスク８９０が配置される。
【００１８】
図では省略したが、フロントマスク８９０には、左右のスピーカの配置位置に相当する位置に多数の微細な放音用丸穴が形成される。
【００１９】
この発明の反射表示装置は、この例では、以下に示すように、以上のようなディスプレイ機器の少なくとも一辺部に設けられる。
【００２０】
なお、以下では、液晶ディスプレイパネル２０の表示画面の縦方向を上下方向、表示画面の横方向を左右方向、表示画面に垂直な方向（図１の紙面に垂直な方向）を奥行方向（前後方向）、より表示画面の中心に近づく方向を内側、より表示画面の中心から遠ざかる方向を外側とし、奥行方向については、図１の紙面の表側を正面側、図１の紙面の裏側を背面側とする。
【００２１】
〔反射表示装置の例：図２〜図５〕
図２および図３に、この発明の反射表示装置の一例を示す。この例は、図１に示したディスプレイ機器の上辺部に反射表示装置を設ける場合である。
【００２２】
具体的に、図２では、フロントマスク８９０の一部を切り欠き、透明上側板２１０の一部を断面にして示すように、透明上側板２１０には、それぞれ、その内面（図２の下側の面）に臨んで、その厚み方向（図２の上下方向）に、３個の溝孔２１５Ｇ，２１５Ｒおよび２１５Ｂが形成されるとともに、透明上側板２１０の内側の図２では省略した内枠の内側には、それぞれ、溝孔２１５Ｇ，２１５Ｒおよび２１５Ｂと対向する位置において、緑色ＬＥＤ８２Ｇ、赤色ＬＥＤ８２Ｒおよび青色ＬＥＤ８２Ｂが、回路基板８１上に取り付けられて配置される。
【００２３】
図３に示すように、溝孔２１５Ｇ，２１５Ｒおよび２１５Ｂの周面２１６Ｇ，２１６Ｒおよび２１６Ｂは、それぞれ粗面とされる。このような、周面２１６Ｇ，２１６Ｒおよび２１６Ｂが粗面の溝孔２１５Ｇ，２１５Ｒおよび２１５Ｂは、ドリル加工などによって容易に形成することができる。
【００２４】
また、透明上側板２１０を正面側（図２および図３の紙面の表側）から見たとき、透明上側板２１０の外側の外枠上側板１１０の内面、透明上側板２１０の内側の内枠、および後述の貼り付け用の両面接着テープなどが見えないように、透明上側板２１０の外面および内面には、印刷によって鏡面薄膜２１３および２１４が形成される。図１に示した透明下側板２２０、透明左側板２３０および透明右側板２４０についても、同じである。
【００２５】
なお、溝孔２１５Ｇ，２１５Ｒおよび２１５Ｂの断面形状は、円形、四角形、三角形など、いずれでもよい。
【００２６】
以上の図２および図３の例の反射表示装置では、緑色ＬＥＤ８２Ｇから出射した緑色光１Ｇ、赤色ＬＥＤ８２Ｒから出射した赤色光１Ｒ、および青色ＬＥＤ８２Ｂから出射した青色光１Ｂが、それぞれ、透明上側板２１０の内面側から溝孔２１５Ｇ，２１５Ｒおよび２１５Ｂに入射し、溝孔２１５Ｇ，２１５Ｒおよび２１５Ｂの粗面とされた周面２１６Ｇ，２１６Ｒおよび２１６Ｂで乱反射して、透明上側板２１０の溝孔２１５Ｇ，２１５Ｒおよび２１５Ｂの部分が浮き出るように表示される。具体的に、この場合の照明は、やわらかな、広がりのある感じのものとなる。
【００２７】
この例の反射表示装置の表示例としては、例えば、図１の例のディスプレイ機器（上記のようにスピーカによって音声も出力する）の電源がオンにされているときには、緑色ＬＥＤ８２Ｇが駆動点灯されることによって、溝孔２１５Ｇが緑色に表示され、ディスプレイ機器がスタンバイ状態にあるときには、赤色ＬＥＤ８２Ｒが駆動点灯されることによって、溝孔２１５Ｒが赤色に表示され、消音モードで画像（映像）が表示されている状態、または消画モードで音声のみが出力されている状態では、青色ＬＥＤ８２Ｂが駆動点灯されることによって、溝孔２１５Ｂが青色に表示されるようにすることができる。
【００２８】
図４の例に示すように、透明上側板２１０に、図２および図３のような溝孔２１５Ｇ，２１５Ｒおよび２１５Ｂに代えて、貫通孔２１７Ｇ，２１７Ｒおよび２１７Ｂを形成してもよい。この場合も、貫通孔２１７Ｇ，２１７Ｒおよび２１７Ｂの周面は粗面とする。
【００２９】
ただし、この場合、透明上側板２１０の外面には、それぞれ、貫通孔２１７Ｇ，２１７Ｒおよび２１７Ｂを塞ぐように反射膜２１８Ｇ，２１８Ｒおよび２１８Ｂを形成する。これは、上記の鏡面薄膜２１３を形成した後にドリル加工などによって貫通孔２１７Ｇ，２１７Ｒおよび２１７Ｂを形成した場合には、鏡面薄膜２１３中の貫通孔２１７Ｇ，２１７Ｒおよび２１７Ｂに臨む部分が剥げ落ちてしまい、逆にドリル加工などによって貫通孔２１７Ｇ，２１７Ｒおよび２１７Ｂを形成した後に鏡面薄膜２１３を形成する場合には、貫通孔２１７Ｇ，２１７Ｒおよび２１７Ｂに臨む部分には鏡面薄膜２１３を形成することができず、反射膜２１８Ｇ，２１８Ｒおよび２１８Ｂを形成しないと、貫通孔２１７Ｇ，２１７Ｒおよび２１７Ｂの周面で乱反射した光が透明上側板２１０の外側に抜け、透明上側板２１０の外側の上述した両面接着テープなどに吸収されてしまうからである。
【００３０】
反射膜２１８Ｇ，２１８Ｒおよび２１８Ｂを形成することによって、透明上側板２１０の外側に進む光は反射膜２１８Ｇ，２１８Ｒおよび２１８Ｂで反射して、貫通孔２１７Ｇ，２１７Ｒおよび２１７Ｂ内に戻り、貫通孔２１７Ｇ，２１７Ｒおよび２１７Ｂの部分が表示されるようになる。
【００３１】
図５の例に示すように、透明上側板２１０に、深さ（長さ）が異なる複数の溝孔２１９ａ，２１９ｂ，２１９ｃ，２１９ｄおよび２１９ｅを形成し、その溝孔２１９ａ，２１９ｂ，２１９ｃ，２１９ｄおよび２１９ｅの位置において、透明上側板２１０の内面側に、ＬＥＤ８３ａ，８３ｂ，８３ｃ，８３ｄおよび８３ｅを配置してもよい。
【００３２】
この例では、例えば、出力音量レベルが最低レベル範囲にあるときには、ＬＥＤ８３ａのみが駆動点灯されることによって、溝孔２１９ａのみが表示され、出力音量レベルが２番目に低いレベル範囲にあるときには、ＬＥＤ８３ｂのみが、またはＬＥＤ８３ａおよび８３ｂが駆動点灯されることによって、溝孔２１９ｂのみが、または溝孔２１９ａおよび２１９ｂが表示され、出力音量レベルが中程度のレベル範囲にあるときには、ＬＥＤ８３ｃのみが、またはＬＥＤ８３ａ，８３ｂおよび８３ｃが駆動点灯されることによって、溝孔２１９ｃのみが、または溝孔２１９ａ，２１９ｂおよび２１９ｃが表示され、出力音量レベルが２番目に高いレベル範囲にあるときには、ＬＥＤ８３ｄのみが、またはＬＥＤ８３ａ，８３ｂ，８３ｃおよび８３ｄが駆動点灯されることによって、溝孔２１９ｄのみが、または溝孔２１９ａ，２１９ｂ，２１９ｃおよび２１９ｄが表示され、出力音量レベルが最高レベル範囲にあるときには、ＬＥＤ８３ｅのみが、またはＬＥＤ８３ａ，８３ｂ，８３ｃ，８３ｄおよび８３ｅが駆動点灯されることによって、溝孔２１９ｅのみが、または溝孔２１９ａ，２１９ｂ，２１９ｃ，２１９ｄおよび２１９ｅが表示されるようにするなど、ディスプレイ機器の量的な操作状況や動作状態を表示することができる。
【００３３】
以上の例は、反射表示装置を図１に示したディスプレイ機器の上辺部に設ける場合であるが、反射表示装置は、図１に示した透明下側板２２０、透明左側板２３０または透明右側板２４０に関連づけて、ディスプレイ機器の下辺部、左辺部または右辺部に設けてもよい。もちろん、ディスプレイ機器の複数の辺部に設けてもよい。
【００３４】
〔枠組み装置の例：図６〜図１４〕
図６に、図１に示した枠組み装置１０の内枠を除く部分を示す。
【００３５】
外枠１００は、外枠上側板１１０、外枠下側板１２０、外枠左側板１３０および外枠右側板１４０によって構成される。外枠上側板１１０、外枠下側板１２０、外枠左側板１３０および外枠右側板１４０は、それぞれ、例えばアルミニウムの押し出し材によって形成される。
【００３６】
外枠上側板１１０、外枠下側板１２０、外枠左側板１３０および外枠右側板１４０の内面には、それぞれ透明上側板２１０、透明下側板２２０、透明左側板２３０および透明右側板２４０が、それぞれ両面接着テープによって貼り付けられる。
【００３７】
透明上側板２１０の内面には、左側の位置にホルダー６１０が、右側の位置にホルダー６２０が、中央の位置にホルダー６３０が、それぞれ両面接着テープによって貼り付けられる。透明下側板２２０の内側にも、左側の位置にホルダー６５０が、右側の位置にホルダー６６０が、中央の位置にホルダー６７０が、それぞれ両面接着テープによって貼り付けられる。
【００３８】
同様に、透明左側板２３０の内側には、上側の位置にホルダー７１０が、下側の位置にホルダー７２０が、中央の位置にホルダー７３０が、それぞれ両面接着テープによって貼り付けられ、透明右側板２４０の内側にも、上側の位置にホルダー７５０が、右側の位置にホルダー７６０が、中央の位置にホルダー７７０が、それぞれ両面接着テープによって貼り付けられる。
【００３９】
ホルダー６１０には突片６１１，６１２，６１３および６１４が、ホルダー６２０には突片６２１，６２２，６２３および６２４が、ホルダー６３０には突片６３１および６３３が、というように、各ホルダーには、これらが貼り付けられた透明上側板２１０、透明下側板２２０、透明左側板２３０および透明右側板２４０が貼り付けられた外枠上側板１１０、外枠下側板１２０、外枠左側板１３０および外枠右側板１４０、すなわち外枠１００を、内枠に取り付けるための突片が、それぞれ一体に形成され、これら突片がネジによって内枠に締結されることによって、外枠１００と内枠が合体され、枠組み装置１０が構成される。
【００４０】
図７に、内枠の一例を示す。この例の内枠９００は、内枠上側板部９１０、内枠下側板部９２０、内枠左側板部９３０および内枠右側板部９４０からなる内枠本体部９５０と、内枠前面部９６０とを有し、プラスチックが一体成型されることによって形成される。
【００４１】
内枠本体部９５０の内側には、上記の各ホルダーの各突片がネジ止めされるネジ孔部９７０が形成され、内枠前面部９６０の左右の板部には、スピーカが臨む透孔９８０が形成される。
【００４２】
そして、上述したように、このように一体化された内枠９００に、図６に示したように透明上側板２１０、透明下側板２２０、透明左側板２３０および透明右側板２４０が貼り付けられた外枠１００が取り付けられる。
【００４３】
図８に、外枠１００の上側部の構成を示す。図１および図６では示していないが、図８（Ａ）に示すように、透明上側板２１０の左右の端面２１１および２１２は、左右方向および上下方向に対して４５度の傾きの傾斜面とされる。
【００４４】
ホルダー６１０，６２０および６３０は、それぞれ両面接着テープによって、図８（Ｂ）に示すように透明上側板２１０の内面に貼り付けられ、そのホルダー６１０，６２０および６３０が貼り付けられた透明上側板２１０は、両面接着テープによって、図８（Ｂ）に示すように外枠上側板１１０の内面に貼り付けられる。
【００４５】
外枠１００の上側部の構成部品としては、そのほか、図６に示した左上コーナー部１１の組立て用に、コーナーブラケット３１０、コーナージョイント４１０およびコーナーカバー５１０が用いられ、図６に示した右上コーナー部１２の組立て用に、コーナーブラケット３２０、コーナージョイント４２０およびコーナーカバー５２０が用いられる。
【００４６】
外枠１００の下側部は、上述した上側部に対して上下対称に構成される。
【００４７】
図９に、外枠１００の左側部の構成を示す。図１および図６では示していないが、図９（Ａ）に示すように、透明左側板２３０の上下の端面２３１および２３２は、左右方向および上下方向に対して４５度の傾きの傾斜面とされる。
【００４８】
ホルダー７１０，７２０および７３０は、それぞれ両面接着テープによって、図９（Ｂ）に示すように透明左側板２３０の内面に貼り付けられ、そのホルダー７１０，７２０および７３０が貼り付けられた透明左側板２３０は、両面接着テープによって、図９（Ｂ）に示すように外枠左側板１３０の内面に貼り付けられる。
【００４９】
外枠１００の右側部は、上述した左側部に対して左右対称に構成される。
【００５０】
図１０に、外枠上側板１１０の右端部の構成を示す。図１０（Ａ）は、正面側から見た図であり、図１０（Ｂ）は、内側から見た図である。
【００５１】
外枠上側板１１０の正面側端部１１２の右端には、傾斜凹部１１２ａが形成され、背面側端部１１３の右端にも、傾斜凹部１１３ａが形成される。
【００５２】
外枠上側板１１０の右端部の内面１１１は、正面側端部１１２および背面側端部１１３より低い面とされ、その右端には、右端溝部１１５および右端凸部１１４が形成される。右端凸部１１４は、内面１１１と同じ高さであり、右端溝部１１５は、その右端凸部１１４と平行なものである。
【００５３】
内面１１１の正面側端部１１２寄りの部分には、後述のように２段の屋根状の係合板部１１６が一体に形成され、背面側端部１１３寄りの部分にも、同様の係合板部１１７が一体に形成される。さらに、内面１１１の奥行方向の中央部には、屋根状の係止板部１１８および１１９が一体に形成される。
【００５４】
外枠上側板１１０の左端部は、上記の右端部に対して左右対称に形成される。また、外枠下側板１２０の左端部は、外枠上側板１１０の左端部に対して上下対称に形成され、外枠下側板１２０の右端部は、外枠上側板１１０の右端部に対して上下対称に、すなわち外枠下側板１２０の左端部に対して左右対称に形成される。
【００５５】
図１１に、図８に示した外枠上側板１１０の右端部で用いられるコーナーブラケット３２０の構成を示す。図１１（Ａ）は、正面側から見た図であり、図１１（Ｂ）は、内側から見た図である。
【００５６】
コーナーブラケット３２０は、外枠上側板１１０の右端部に沿う上側板部３２１と、これに対して垂直な、外枠右側板１４０の上端部に沿う右側板部３２７とが、一体に形成されたものとされる。
【００５７】
その上側板部３２１の正面側および背面側には、脚部３２２および３２３が形成され、その脚部３２２，３２３間の右端には、端面３２６が形成される。
【００５８】
さらに、上側板部３２１の正面側および背面側の縁には、係合爪３２４および３２５が、例えば２個ずつ形成される。
【００５９】
図８に示した外枠上側板１１０の左端部で用いられるコーナーブラケット３１０は、上記のコーナーブラケット３２０に対して左右対称に形成される。また、外枠下側板１２０の左端部および右端部で用いられるコーナーブラケットは、それぞれコーナーブラケット３１０および３２０に対して上下対称に形成される。
【００６０】
各コーナー部１１，１２，１３および１４を組立てる前に、以下の工程を以下の順序で行う。
【００６１】
（１）まず、外枠上側板１１０、外枠下側板１２０、外枠左側板１３０および外枠右側板１４０の内面に、それぞれ両面接着テープを貼り付ける。
【００６２】
（２）次に、図６に示したホルダー６１０，６２０，６３０，６５０，６６０，６７０，７１０，７２０，７３０，７５０，７６０および７７０に、それぞれ両面接着テープを貼り付ける。
【００６３】
（３）次に、そのホルダー６１０，６２０および６３０を透明上側板２１０に貼り付け、ホルダー６５０，６６０および６７０を透明下側板２２０に貼り付け、ホルダー７１０，７２０および７３０を透明左側板２３０に貼り付け、ホルダー７５０，７６０および７７０を透明右側板２４０に貼り付ける。
【００６４】
（４）次に、その透明上側板２１０を外枠上側板１１０の内面に貼り付け、透明下側板２２０を外枠下側板１２０の内面に貼り付け、透明左側板２３０を外枠左側板１３０の内面に貼り付け、透明右側板２４０を外枠右側板１４０の内面に貼り付ける。
【００６５】
以上の工程を行った後、以下のように、外枠上側板１１０のコーナー部１１，１２および外枠下側板１２０のコーナー部１３，１４を組立てる。
【００６６】
外枠上側板１１０の右上コーナー部１２の組立てについて示すと、まず、後述のように、図８に示したコーナーカバー５２０をコーナージョイント４２０に貼り付け、そのコーナーカバー５２０が貼り付けられたコーナージョイント４２０を外枠上側板１１０の右端部に挿入する。
【００６７】
次に、図１２（Ａ）に示すように、コーナーブラケット３２０の上側板部３２１の係合爪３２４および３２５を内側に曲げ、さらに、図１２（Ｂ）の矢印３２８で示すように、そのコーナーブラケット３２０の上側板部３２１を、外枠上側板１１０の右端部の係合板部１１６および１１７と内面１１１との間に圧入する。
【００６８】
係合板部１１６および１１７は、それぞれ、図１０に示した外枠上側板１１０の正面側端部１１２および背面側端部１１３に近い部分が、内面１１１からの距離が相対的に小さい低い屋根とされ、その部分より係止板部１１８および１１９に近い部分が、内面１１１からの距離が相対的に大きい高い屋根とされ、上記のようにコーナーブラケット３２０の上側板部３２１を係合板部１１６および１１７と内面１１１との間に圧入したとき、上側板部３２１の係合爪３２４および３２５は、その低い屋根の部分に圧入される。
【００６９】
ただし、図１２では、上記のコーナーカバー５２０およびコーナージョイント４２０を省略している。図１２（Ｃ）に示すように、コーナーブラケット３２０の上側板部３２１は、端面３２６が係止板部１１８および１１９に突き当たり、右側板部３２７が外枠上側板１１０の右端溝部１１５の一部を覆う位置まで圧入される。
【００７０】
このようにコーナーブラケット３２０が圧入された状態では、図１２（Ｂ）の矢印３２９で示すようにコーナーブラケット３２０を引き抜こうとしても、係合爪３２４および３２５が係合板部１１６および１１７に喰い込むために、コーナーブラケット３２０を引き抜くことができない。したがって一旦、コーナーカバー５２０、コーナージョイント４２０およびコーナーブラケット３２０を外枠上側板１１０の右端部に組立てた後は、その組立て部を破壊するなどの非常手段によらない限り、組立て状態が保持される。
【００７１】
図１３に、その組立て状態を示す。コーナージョイント４２０は、外側横板部４２１、外側縦板部４２２、内側横板部４２３、内側縦板部４２４および連結板部４２５が一体に形成されたものとされ、その外側横板部４２１は、図１１および図１２に示したコーナーブラケット３２０の上側板部３２１と同様に、２つの脚部を有するものとされる。
【００７２】
ただし、コーナージョイント４２０の奥行方向（図１３の紙面に垂直な方向）の幅は、外枠上側板１１０のそれ（奥行方向の幅）より小さくされる。
【００７３】
図６に示した右上コーナー部１２のコーナーカバー５２０は、図１３に示すようなコーナーカバー基部５２３の奥行方向（図１３の紙面に垂直な方向）の両端に、図１３では省略した透明上側板２１０の右端および透明右側板２４０の上端を覆い隠す形状の端板部が一体に形成されたものとされる。図１および図６のコーナーカバー５２０は、その正面側の端板部を示したものである。
【００７４】
コーナーカバー基部５２３は、４５度の角度を形成する２つの板部５２１および５２２によって形成され、板部５２１の両端に上記の端板部が形成される。
【００７５】
右上コーナー部１２の組立てに当たっては、図１３に示すように、板部５２１を両面接着テープ８２０によって連結板部４２５に貼り付けることによって、コーナーカバー５２０（コーナーカバー基部５２３）をコーナージョイント４２０に取り付け、次に、そのコーナーカバー５２０が取り付けられたコーナージョイント４２０の外側横板部４２１を、外枠上側板１１０の右端部の図１０および図１２に示した係合板部１１６および１１７と内面１１１との間に、外側横板部４２１が係止板部１１８および１１９に突き当たる位置まで挿入する。
【００７６】
このとき、外側横板部４２１は、上述した高い屋根の部分に挿入され、外側横板部４２１と外枠上側板１１０との間には、コーナーブラケット３２０の上側板部３２１を圧入できる分のスペースが形成される。
【００７７】
このようにコーナージョイント４２０を外枠上側板１１０の右端部に挿入した後、上述したようにコーナーブラケット３２０を外枠上側板１１０の右端部に圧入する。
【００７８】
以上で、外枠上側板１１０の右上コーナー部１２の組立てが終了する。同様に、外枠上側板１１０の左上コーナー部１１の組立てが終了することによって、図８（Ｂ）の状態となる。
【００７９】
外枠下側板１２０についても、外枠上側板１１０と同様の組立てを行う。
【００８０】
次に、上述したように組立てられた外枠上側板１１０、外枠下側板１２０、外枠左側板１３０および外枠右側板１４０を、内枠９００に組立てる。
【００８１】
まず、外枠左側板１３０および外枠右側板１４０を内枠９００に取り付けるが、このとき、外枠左側板１３０および外枠右側板１４０側の各ホルダーの突片を内枠本体部９５０にネジで固定することによって、外枠左側板１３０および外枠右側板１４０を内枠９００に取り付ける。
【００８２】
次に、コーナー部１１〜１４を合わせて、外枠上側板１１０および外枠下側板１２０側の各ホルダーの突片を内枠本体部９５０にネジで固定することによって、外枠上側板１１０および外枠下側板１２０を内枠９００に取り付ける。
【００８３】
図１３および図１４に、外枠右側板１４０の上端部の構成の一例、および外枠上側板１１０と外枠右側板１４０の嵌合状態の一例を示す。
【００８４】
外枠右側板１４０の上端の正面側には、図１０に示した外枠上側板１１０の傾斜凹部１１２ａに嵌合する傾斜凸部１４２ａが形成され、外枠右側板１４０の上端の背面側にも、図１０に示した外枠上側板１１０の傾斜凹部１１３ａに嵌合する傾斜凸部が形成される。
【００８５】
また、外枠右側板１４０の上端には、図１０および図１２に示した外枠上側板１１０の右端溝部１１５に嵌合する上端凸部１４４が形成される。さらに、外枠右側板１４０の上端右面には、正面側および背面側の端部に上端係止部１４４ｘおよび１４４ｙが形成される。
【００８６】
そして、上述したようにコーナーブラケット３２０を外枠上側板１１０の右端部に圧入した後、外枠右側板１４０の上端凸部１４４を外枠上側板１１０の右端溝部１１５に挿入し、外枠右側板１４０の正面側の傾斜凸部１４２ａを外枠上側板１１０の傾斜凹部１１２ａに突き当て、外枠右側板１４０の背面側の傾斜凸部を外枠上側板１１０の傾斜凹部１１３ａに突き当て、外枠上側板１１０の右端凸部１１４が外枠右側板１４０の上端係止部１４４ｘ，１４４ｙ間に嵌合するように、外枠右側板１４０を外枠上側板１１０に嵌合する。
【００８７】
このように右上コーナー部１２は、ネジやリベットなどによらずに、外枠上側板１１０と外枠右側板１４０との嵌合によって組立てられ、美観的にも優れたものとなる。
【００８８】
左上コーナー部１１、左下コーナー部１３および右下コーナー部１４も、同様に構成され、同様に嵌合によって組立てる。
【００８９】
このように組立てられた枠組み装置１０では、右上コーナー部１２につき示すと、外枠上側板１１０と外枠右側板１４０の組立て状態は、左右方向、上下方向および奥行方向（前後方向）のいずれの方向にも、ほとんど位置ずれを生じない。左上コーナー部１１における外枠上側板１１０と外枠左側板１３０の組立て状態、左下コーナー部１３における外枠下側板１２０と外枠左側板１３０の組立て状態、および右下コーナー部１４における外枠下側板１２０と外枠右側板１４０の組立て状態についても、同じである。
【００９０】
さらに、図１４に示すように、右上コーナー部１２では、透明上側板２１０の右端の傾斜した端面２１２、および透明右側板２４０の上端の傾斜した端面２４１が、コーナーカバー５２０の上述した端板部によって覆い隠される。これによって、透明上側板２１０および透明右側板２４０につき、製作上の誤差や、外枠上側板１１０および外枠右側板１４０への取り付け（貼り付け）位置の誤差を生じても、右上コーナー部１２において透明上側板２１０の右端および透明右側板２４０の上端が見えることがなく、製品の品位が保持される。
【００９１】
左上コーナー部１１、左下コーナー部１３および右下コーナー部１４についても、同様である。
【００９２】
また、この例のように、外枠１００を、上下左右の枠部を一体に形成することなく、外枠上側板１１０、外枠下側板１２０、外枠左側板１３０および外枠右側板１４０によって構成する場合には、金型を使用したアルミニウムダイキャストなどの一体成形によらずに、アルミニウムの押し出し成型などの方法によって、外枠１００を容易に製造することができる。
【００９３】
さらに、以上の例のように、枠状の透明部を構成する透明上側板２１０、透明下側板２２０、透明左側板２３０および透明右側板２４０の外側に、アルミニウムなどからなる外枠１００を設けることによって、ディスプレイ装置の外観もシャープで質感のあるものとなる。
【００９４】
〔他の実施形態〕
反射表示装置についての上述した例は、図１に示したディスプレイ機器の辺部に反射表示装置を設ける場合であるが、反射表示装置は、任意の電子機器の任意の位置に設けることができる。
【００９５】
また、ディスプレイ機器についての上述した例は、外枠１００を外枠上側板１１０、外枠下側板１２０、外枠左側板１３０および外枠右側板１４０によって構成する場合であって、上記のように外枠１００を容易に製造することができるが、外枠は、上下左右の側板部を一体に形成してもよい。
【００９６】
また、ディスプレイ機器についての上述した例は、画像表示用ディスプレイとして液晶ディスプレイパネルを用いる場合であるが、ディスプレイ機器についての、この発明は、画像表示用ディスプレイとして、プラズマディスプレイパネルなどの、他のフラットディスプレイパネルを用いる場合や、フラットディスプレイパネル以外のディスプレイを用いる場合にも、適用することができる。
【図面の簡単な説明】
【００９７】
【図１】この発明のディスプレイ機器の一例を示す図である。
【図２】この発明の反射表示装置の一例を示す図である。
【図３】図２の例の反射表示装置の要部を示す図である。
【図４】この発明の反射表示装置の他の例の要部を示す図である。
【図５】この発明の反射表示装置のさらに他の例の要部を示す図である。
【図６】枠組み装置の一例の内枠を除く部分を示す図である。
【図７】内枠の一例を示す図である。
【図８】枠組み装置の上側部の一例を示す図である。
【図９】枠組み装置の左側部の一例を示す図である。
【図１０】外枠上側板の右端部の一例を示す図である。
【図１１】コーナーブラケットの一例を示す図である。
【図１２】外枠上側板の右端部にコーナーブラケットが圧入された状態を示す図である。
【図１３】枠組み装置の右上コーナー部の組立て状態を示す図である。
【図１４】枠組み装置の右上コーナー部の組立て状態を示す図である。
【図１５】特許文献１に示された反射表示装置の一例を示す図である。
【符号の説明】
【００９８】
主要部については図中に全て記述したので、ここでは省略する。
【図１】
2006030322.tif 000003
【図２】
2006030322.tif 000004
【図３】
2006030322.tif 000005
【図４】
2006030322.tif 000006
【図５】
2006030322.tif 000007
【図６】
2006030322.tif 000008
【図７】
2006030322.tif 000009
【図８】
2006030322.tif 000010
【図９】
2006030322.tif 000011
【図１０】
2006030322.tif 000012
【図１１】
2006030322.tif 000013
【図１２】
2006030322.tif 000014
【図１３】
2006030322.tif 000015
【図１４】
2006030322.tif 000016
【図１５】
2006030322.tif 000017